【手続補正書】
【提出日】平成16年8月23日(2004.8.23)
【手続補正１】
【補正対象書類名】明細書
【補正対象項目名】発明の名称
【補正方法】変更
【補正の内容】
【発明の名称】課金装置及びその制御方法及びその制御方法をコンピュータに実行させるためのプログラムを記憶した記憶媒体
【手続補正２】
【補正対象書類名】明細書
【補正対象項目名】特許請求の範囲
【補正方法】変更
【補正の内容】
【特許請求の範囲】
【請求項１】
データ処理の対価の課金処理を行う課金装置において、
前記データ処理の内容別に課金情報を登録する登録手段と、
一つのドキュメントに対して実行された一連の複数の処理内容を判別する判別手段と、
前記判別手段により判別された一連の複数の処理内容に対応する前記課金情報に基づいて課金処理を行う課金処理手段と、
を備えたことを特徴とする課金装置。
【請求項２】
前記データ処理を実行する、汎用コンピュータ又はスキャナ又はプリンタ又は複写機又はディスプレイ又はファィルサーバ又はファクシミリ装置又は外部記憶装置とネットワークを介して接続されたことを特徴とする請求項１記載の課金装置。
【請求項３】
前記登録手段は、前記処理内容として、データ入力処理及びデータ加工処理及びデータ出力処理と、それぞれの課金情報を対応付けて登録し、
前記課金処理手段は、各処理内容別に課金処理を実行し、
各処理内容別の課金処理結果を統合する統合課金処理手段とを更に備えたことを特徴とする請求項１記載の課金装置。
【請求項４】
前記登録手段は、前記処理内容として、データ入力処理の内容及びデータ加工処理の内容及びデータ出力処理の内容と、それぞれの課金情報とを対応付けて登録することを特徴とする請求項３記載の課金装置。
【請求項５】
前記データ入力処理の内容は、更に、入力データの種類及び量及び重要度に分類されていることを特徴とすることを特徴とする請求項４記載の課金装置。
【請求項６】
前記入力データの種類は、更に、テキストデータ及び画像データに分類されていることを特徴とする請求項５記載の課金装置。
【請求項７】
前記画像データは、更に、解像度及びモノクロ／カラーにより分類されていることを特徴とする請求項６記載の課金装置。
【請求項８】
前記データ加工処理の内容は、更に、レイアウト解析処理及び文字認識処理及びデータベース化処理及び圧縮処理及び暗号化処理に分類されていることを特徴とする請求項４記載の課金装置。
【請求項９】
前記データ出力処理の内容は、更に、ネットワーク及び外部記憶装置及びファクシミリ装置及びプリンタ及びファイルサーバ及びディスプレイ及びスピーカのそれぞれへの出力処理に分類されていることを特徴とすることを特徴とする請求項４記載の課金装置。
【請求項１０】
前記データ出力処理の内容は、更に、前記プリンタに出力する場合の、紙サイズ及び紙質に分類されていることを特徴とする請求項９記載の課金装置。
【請求項１１】
データ処理の対価の課金処理を行う課金装置の制御方法において、
前記データ処理の内容別に課金情報を登録する工程と、
一つのドキュメントに対して実行された一連の複数の処理内容を判別する工程と、
前記判別された一連の複数の処理内容に対応する前記課金情報に基づいて課金処理を行う工程と、を備えたことを特徴とする制御方法。
【請求項１２】
データ処理の対価の課金処理を行う課金装置の制御方法をコンピュータに実行させるためのプログラムを記憶した記憶媒体であって、前記プログラムは、
前記データ処理の内容別に課金情報を登録するルーチンと、
一つのドキュメントに対して実行された一連の複数の処理内容を判別するルーチンと、
前記判別手段により判別された一連の複数の処理内容に対応する前記課金情報に基づいて課金処理を行うルーチンと、
を含むことを特徴とする記憶媒体。
【手続補正３】
【補正対象書類名】明細書
【補正対象項目名】０００９
【補正方法】変更
【補正の内容】
【０００９】
【課題を解決するための手段】
上記課題を解決するため、本発明は、データ処理の対価の課金処理を行う課金装置において、前記データ処理の内容別に課金情報を登録する登録手段と、一つのドキュメントに対して実行された一連の複数の処理内容を判別する判別手段と、前記判別手段により判別された一連の複数の処理内容に対応する前記課金情報に基づいて課金処理を行う課金処理手段とを備えている。
【手続補正４】
【補正対象書類名】明細書
【補正対象項目名】００１０
【補正方法】変更
【補正の内容】
【００１０】
また、本発明は、データ処理の対価の課金処理を行う課金装置の制御方法において、前記データ処理の内容別に課金情報を登録する工程と、一つのドキュメントに対して実行された一連の複数の処理内容を判別する工程と、前記判別された一連の複数の処理内容に対応する前記課金情報に基づいて課金処理を行う工程とを備えている。
【手続補正５】
【補正対象書類名】明細書
【補正対象項目名】００１１
【補正方法】変更
【補正の内容】
【００１１】
また、本発明は、データ処理の対価の課金処理を行う課金装置の制御方法をコンピュータに実行させるためのプログラムを記憶した記憶媒体であって、前記プログラムは、前記データ処理の内容別に課金情報を登録するルーチンと、一つのドキュメントに対して実行された一連の複数の処理内容を判別するルーチンと、前記判別手段により判別された一連の複数の処理内容に対応する前記課金情報に基づいて課金処理を行うルーチンとを含んでいる。
【手続補正６】
【補正対象書類名】明細書
【補正対象項目名】００１２
【補正方法】変更
【補正の内容】
【００１２】
また、本発明では、前記課金装置は、前記データ処理を実行する、汎用コンピュータ又はスキャナ又はプリンタ又は複写機又はディスプレイ又はファィルサーバ又はファクシミリ装置又は外部記憶装置とネットワークを介して接続されている。
【手続補正７】
【補正対象書類名】明細書
【補正対象項目名】００１３
【補正方法】変更
【補正の内容】
【００１３】
また、本発明では、前記登録手段及び登録する工程及び登録するルーチンは、前記処理内容として、データ入力処理及びデータ加工処理及びデータ出力処理と、それぞれの課金情報を対応付けて登録し、前記課金処理手段は、各処理内容別に課金処理を実行し、各処理内容別の課金処理結果を統合する統合課金処理手段とを更に備えている。
【手続補正８】
【補正対象書類名】明細書
【補正対象項目名】００１４
【補正方法】変更
【補正の内容】
【００１４】
また、本発明では、前記登録手段及び登録する工程及び登録するルーチンは、前記処理内容として、データ入力処理の内容及びデータ加工処理の内容及びデータ出力処理の内容と、それぞれの課金情報とを対応付けて登録している。
【手続補正９】
【補正対象書類名】明細書
【補正対象項目名】００１５
【補正方法】変更
【補正の内容】
【００１５】
また、本発明では、前記データ入力処理の内容は、更に、入力データの種類及び量及び重要度に分類されている。
【手続補正１０】
【補正対象書類名】明細書
【補正対象項目名】００１６
【補正方法】変更
【補正の内容】
【００１６】
また、本発明では、前記入力データの種類は、更に、テキストデータ及び画像データに分類されている。
【手続補正１１】
【補正対象書類名】明細書
【補正対象項目名】００１７
【補正方法】変更
【補正の内容】
【００１７】
また、本発明では、前記画像データは、更に、解像度及びモノクロ／カラーにより分類されている。
【手続補正１２】
【補正対象書類名】明細書
【補正対象項目名】００１８
【補正方法】変更
【補正の内容】
【００１８】
また、本発明では、前記データ加工処理の内容は、更に、レイアウト解析処理及び文字認識処理及びデータベース化処理及び圧縮処理及び暗号化処理に分類されている。
【手続補正１３】
【補正対象書類名】明細書
【補正対象項目名】００１９
【補正方法】変更
【補正の内容】
【００１９】
また、本発明では、前記データ出力処理の内容は、更に、ネットワーク及び外部記憶装置及びファクシミリ装置及びプリンタ及びファイルサーバ及びディスプレイ及びスピーカのそれぞれへの出力処理に分類されている。
【手続補正１４】
【補正対象書類名】明細書
【補正対象項目名】００２０
【補正方法】変更
【補正の内容】
【００２０】
また、本発明では、前記データ出力処理の内容は、更に、前記プリンタに出力する場合の、紙サイズ及び紙質に分類されている。
【手続補正１５】
【補正対象書類名】明細書
【補正対象項目名】００６２
【補正方法】変更
【補正の内容】
【００６２】
【発明の効果】
以上説明したように、本発明によれば、データ処理の対価の課金処理を、１つのドキュメントに対して実行された一連の複数の処理内容に基づいて課金するようにしたので、実行された処理内容に応じたきめ細かな、かつ合理的な課金処理を行えるようになる。